(57)【特許請求の範囲】
【請求項１】
あるセルに接続し基地局を介して無線通信を行っている無線端末が同じサービスエリア内の隣接するセルに移動したときに前記無線端末の接続先のセルを前記無線端末の移動先のセルに切り換える無線通信システムにおいて、
互いに隣接するセルで前記無線通信に使用される周波数が相違するサービスエリアである非仮想セルエリアと、互いに隣接するセルで前記無線通信に使用される周波数が共通し前記非仮想セルエリアと重複するサービスエリアである仮想セルエリアとを複数の基地局により構築するために、前記非仮想セルエリア内の各セルで使用される周波数と、前記仮想セルエリア内の各セルで使用される周波数とを各基地局に設定して、互いに重複する、前記非仮想セルエリア内のセルと前記仮想セルエリア内のセルとを共通の基地局により形成する周波数制御部と、
測定期間ごとに、各基地局から入力される情報の中から、前記無線端末が接続している基地局の情報を抽出し、抽出した情報から、各測定期間内に前記無線端末が接続している基地局が変更された回数を接続先変更回数として算出する移動量測定部と、
前記移動量測定部により算出された接続先変更回数と閾値とを比較して、前記無線端末の移動量の大小を判定する移動量判定部と、
互いに重複する、前記非仮想セルエリア内のセルと前記仮想セルエリア内のセルとの中から前記無線端末の種別に応じて選択されたセルに前記無線端末を接続し、前記移動量判定部の判定結果に応じて、互いに重複する、前記非仮想セルエリア内のセルと前記仮想セルエリア内のセルとの間で、前記無線端末の接続先のセルを切り換える接続制御部と
を備える無線通信システム。
【請求項２】
あるセルに接続し基地局を介して無線通信を行っている無線端末が同じサービスエリア内の隣接するセルに移動したときに前記無線端末の接続先のセルを前記無線端末の移動先のセルに切り換える無線通信システムにおいて、
互いに隣接するセルで前記無線通信に使用される周波数が相違するサービスエリアである非仮想セルエリアと、互いに隣接するセルで前記無線通信に使用される周波数が共通し前記非仮想セルエリアと重複するサービスエリアである仮想セルエリアとを複数の基地局により構築するために、前記非仮想セルエリア内の各セルで使用される周波数と、前記仮想セルエリア内の各セルで使用される周波数とを各基地局に設定して、互いに重複する、前記非仮想セルエリア内のセルと前記仮想セルエリア内のセルとを共通の基地局により形成する周波数制御部と、
前記無線端末から前記無線端末の位置情報を繰り返し受信し、直近の一定期間内に受信した位置情報から特定される前記無線端末の位置の変化量を前記無線端末の移動量として算出するか、または、当該変化量から換算される前記無線端末の移動量を算出する移動量測定部と、
前記移動量測定部により算出された移動量と閾値とを比較して、前記無線端末の移動量の大小を判定する移動量判定部と、
互いに重複する、前記非仮想セルエリア内のセルと前記仮想セルエリア内のセルとの中から前記無線端末の種別に応じて選択されたセルに前記無線端末を接続し、前記移動量判定部の判定結果に応じて、互いに重複する、前記非仮想セルエリア内のセルと前記仮想セルエリア内のセルとの間で、前記無線端末の接続先のセルを切り換える接続制御部と
を備える無線通信システム。
【請求項３】
前記接続制御部は、前記無線端末が前記非仮想セルエリア内のセルに接続しているときに前記無線端末の移動量が大きくなったと前記移動量判定部により判定された場合、前記無線端末の接続先のセルを、前記無線端末が接続しているセルと重複する、前記仮想セルエリア内のセルに切り換える請求項１または２に記載の無線通信システム。
【請求項４】
前記接続制御部は、前記無線端末が前記仮想セルエリア内のセルに接続しているときに前記無線端末の移動量が小さくなったと前記移動量判定部により判定された場合、前記無線端末の接続先のセルを、前記無線端末が接続しているセルと重複する、前記非仮想セルエリア内のセルに切り換える請求項１から３のいずれか１項に記載の無線通信システム。
【請求項５】
前記無線端末が互いに隣接するサービスエリア間を移動したときには、前記無線端末の接続先のセルが前記無線端末の移動元のサービスエリア内のセルから前記無線端末の移動先のサービスエリア内のセルに切り換えられ、
前記周波数制御部は、前記仮想セルエリアとして、互いに隣接する仮想セルエリアで前記無線通信に使用される周波数が相違する少なくとも２つの仮想セルエリアを構築するために、各仮想セルエリア内の各セルで使用される周波数を各基地局に設定する請求項１から４のいずれか１項に記載の無線通信システム。
【請求項６】
前記周波数制御部は、前記無線端末の移動履歴に応じて、各仮想セルエリアに含まれるセルの組み合わせを変更し、変更後の各仮想セルエリア内の各セルで使用される周波数を各基地局に設定する請求項５に記載の無線通信システム。
【請求項７】
前記無線端末と、前記複数の基地局と、前記無線端末および前記複数の基地局とは独立した装置であるサービスエリア構築装置とを有し、
前記周波数制御部および前記接続制御部は、前記サービスエリア構築装置に備えられている請求項１から６のいずれか１項に記載の無線通信システム。
【請求項８】
前記無線端末と、前記複数の基地局と、前記無線端末および前記複数の基地局とは独立した装置であるサービスエリア構築装置とを有し、
前記周波数制御部は、前記サービスエリア構築装置に備えられ、
前記接続制御部は、前記無線端末に備えられている請求項１から６のいずれか１項に記載の無線通信システム。
【請求項９】
あるセルに接続し基地局を介して無線通信を行っている無線端末が同じサービスエリア内の隣接するセルに移動したときに前記無線端末の接続先のセルを前記無線端末の移動先のセルに切り換える接続方法において、
複数の基地局および前記無線端末とは独立した装置であるサービスエリア構築装置が、互いに隣接するセルで前記無線通信に使用される周波数が相違するサービスエリアである非仮想セルエリアと、互いに隣接するセルで前記無線通信に使用される周波数が共通し前記非仮想セルエリアと重複するサービスエリアである仮想セルエリアとを前記複数の基地局により構築するために、前記非仮想セルエリア内の各セルで使用される周波数と、前記仮想セルエリア内の各セルで使用される周波数とを各基地局に設定して、互いに重複する、前記非仮想セルエリア内のセルと前記仮想セルエリア内のセルとを共通の基地局により形成し、
前記サービスエリア構築装置が、測定期間ごとに、各基地局から入力される情報の中から、前記無線端末が接続している基地局の情報を抽出し、抽出した情報から、各測定期間内に前記無線端末が接続している基地局が変更された回数を接続先変更回数として算出し、
前記サービスエリア構築装置が、算出した接続先変更回数と閾値とを比較して、前記無線端末の移動量の大小を判定し、
前記無線端末が、互いに重複する、前記非仮想セルエリア内のセルと前記仮想セルエリア内のセルとの中から前記無線端末の種別に応じて選択されたセルに接続し、
前記サービスエリア構築装置が、前記無線端末の移動量の大小を判定した結果に応じて、互いに重複する、前記非仮想セルエリア内のセルと前記仮想セルエリア内のセルとの間で、前記無線端末の接続先のセルを切り換える接続方法。
【請求項１０】
あるセルに接続し基地局を介して無線通信を行っている無線端末が同じサービスエリア内の隣接するセルに移動したときに前記無線端末の接続先のセルを前記無線端末の移動先のセルに切り換える接続方法において、
複数の基地局および前記無線端末とは独立した装置であるサービスエリア構築装置が、互いに隣接するセルで前記無線通信に使用される周波数が相違するサービスエリアである非仮想セルエリアと、互いに隣接するセルで前記無線通信に使用される周波数が共通し前記非仮想セルエリアと重複するサービスエリアである仮想セルエリアとを前記複数の基地局により構築するために、前記非仮想セルエリア内の各セルで使用される周波数と、前記仮想セルエリア内の各セルで使用される周波数とを各基地局に設定して、互いに重複する、前記非仮想セルエリア内のセルと前記仮想セルエリア内のセルとを共通の基地局により形成し、
前記サービスエリア構築装置が、前記無線端末から前記無線端末の位置情報を繰り返し受信し、直近の一定期間内に受信した位置情報から特定される前記無線端末の位置の変化量を前記無線端末の移動量として算出するか、または、当該変化量から換算される前記無線端末の移動量を算出し、
前記サービスエリア構築装置が、算出した移動量と閾値とを比較して、前記無線端末の移動量の大小を判定し、
前記無線端末が、互いに重複する、前記非仮想セルエリア内のセルと前記仮想セルエリア内のセルとの中から前記無線端末の種別に応じて選択されたセルに接続し、
前記サービスエリア構築装置が、前記無線端末の移動量の大小を判定した結果に応じて、互いに重複する、前記非仮想セルエリア内のセルと前記仮想セルエリア内のセルとの間で、前記無線端末の接続先のセルを切り換える接続方法。
【請求項１１】
あるセルに接続し基地局を介して無線通信を行っている無線端末が同じサービスエリア内の隣接するセルに移動したときに前記無線端末の接続先のセルを前記無線端末の移動先のセルに切り換える無線ネットワークに対して、２つ以上のサービスエリアを構築するサービスエリア構築装置において、
互いに隣接するセルで前記無線通信に使用される周波数が相違するサービスエリアである非仮想セルエリアと、互いに隣接するセルで前記無線通信に使用される周波数が共通し前記非仮想セルエリアと重複するサービスエリアである仮想セルエリアとを複数の基地局により構築するために、前記非仮想セルエリア内の各セルで使用される周波数と、前記仮想セルエリア内の各セルで使用される周波数とを各基地局に設定して、互いに重複する、前記非仮想セルエリア内のセルと前記仮想セルエリア内のセルとを共通の基地局により形成する周波数制御部と、
測定期間ごとに、各基地局から入力される情報の中から、前記無線端末が接続している基地局の情報を抽出し、抽出した情報から、各測定期間内に前記無線端末が接続している基地局が変更された回数を接続先変更回数として算出する移動量測定部と、
前記移動量測定部により算出された接続先変更回数と閾値とを比較して、前記無線端末の移動量の大小を判定する移動量判定部と、
互いに重複する、前記非仮想セルエリア内のセルと前記仮想セルエリア内のセルとの中から前記無線端末の種別に応じて選択されたセルに前記無線端末を接続し、前記移動量判定部の判定結果に応じて、互いに重複する、前記非仮想セルエリア内のセルと前記仮想セルエリア内のセルとの間で、前記無線端末の接続先のセルを切り換える接続制御部と
を備えるサービスエリア構築装置。
【請求項１２】
あるセルに接続し基地局を介して無線通信を行っている無線端末が同じサービスエリア内の隣接するセルに移動したときに前記無線端末の接続先のセルを前記無線端末の移動先のセルに切り換える無線ネットワークに対して、２つ以上のサービスエリアを構築するサービスエリア構築装置において、
互いに隣接するセルで前記無線通信に使用される周波数が相違するサービスエリアである非仮想セルエリアと、互いに隣接するセルで前記無線通信に使用される周波数が共通し前記非仮想セルエリアと重複するサービスエリアである仮想セルエリアとを複数の基地局により構築するために、前記非仮想セルエリア内の各セルで使用される周波数と、前記仮想セルエリア内の各セルで使用される周波数とを各基地局に設定して、互いに重複する、前記非仮想セルエリア内のセルと前記仮想セルエリア内のセルとを共通の基地局により形成する周波数制御部と、
前記無線端末から前記無線端末の位置情報を繰り返し受信し、直近の一定期間内に受信した位置情報から特定される前記無線端末の位置の変化量を前記無線端末の移動量として算出するか、または、当該変化量から換算される前記無線端末の移動量を算出する移動量測定部と、
前記移動量測定部により算出された移動量と閾値とを比較して、前記無線端末の移動量の大小を判定する移動量判定部と、
互いに重複する、前記非仮想セルエリア内のセルと前記仮想セルエリア内のセルとの中から前記無線端末の種別に応じて選択されたセルに前記無線端末を接続し、前記移動量判定部の判定結果に応じて、互いに重複する、前記非仮想セルエリア内のセルと前記仮想セルエリア内のセルとの間で、前記無線端末の接続先のセルを切り換える接続制御部と
を備えるサービスエリア構築装置。
【請求項１３】
あるセルに接続し基地局を介して無線通信を行っている無線端末が同じサービスエリア内の隣接するセルに移動したときに前記無線端末の接続先のセルを前記無線端末の移動先のセルに切り換える無線ネットワークに対して、２つ以上のサービスエリアを構築するコンピュータに、
互いに隣接するセルで前記無線通信に使用される周波数が相違するサービスエリアである非仮想セルエリアと、互いに隣接するセルで前記無線通信に使用される周波数が共通し前記非仮想セルエリアと重複するサービスエリアである仮想セルエリアとを複数の基地局により構築するために、前記非仮想セルエリア内の各セルで使用される周波数と、前記仮想セルエリア内の各セルで使用される周波数とを各基地局に設定して、互いに重複する、前記非仮想セルエリア内のセルと前記仮想セルエリア内のセルとを共通の基地局により形成する周波数制御処理と、
測定期間ごとに、各基地局から入力される情報の中から、前記無線端末が接続している基地局の情報を抽出し、抽出した情報から、各測定期間内に前記無線端末が接続している基地局が変更された回数を接続先変更回数として算出する移動量測定処理と、
前記移動量測定処理により算出された接続先変更回数と閾値とを比較して、前記無線端末の移動量の大小を判定する移動量判定処理と、
互いに重複する、前記非仮想セルエリア内のセルと前記仮想セルエリア内のセルとの中から前記無線端末の種別に応じて選択されたセルに前記無線端末を接続し、前記移動量判定処理の判定結果に応じて、互いに重複する、前記非仮想セルエリア内のセルと前記仮想セルエリア内のセルとの間で、前記無線端末の接続先のセルを切り換える接続制御処理と
を実行させるサービスエリア構築プログラム。
【請求項１４】
あるセルに接続し基地局を介して無線通信を行っている無線端末が同じサービスエリア内の隣接するセルに移動したときに前記無線端末の接続先のセルを前記無線端末の移動先のセルに切り換える無線ネットワークに対して、２つ以上のサービスエリアを構築するコンピュータに、
互いに隣接するセルで前記無線通信に使用される周波数が相違するサービスエリアである非仮想セルエリアと、互いに隣接するセルで前記無線通信に使用される周波数が共通し前記非仮想セルエリアと重複するサービスエリアである仮想セルエリアとを複数の基地局により構築するために、前記非仮想セルエリア内の各セルで使用される周波数と、前記仮想セルエリア内の各セルで使用される周波数とを各基地局に設定して、互いに重複する、前記非仮想セルエリア内のセルと前記仮想セルエリア内のセルとを共通の基地局により形成する周波数制御処理と、
前記無線端末から前記無線端末の位置情報を繰り返し受信し、直近の一定期間内に受信した位置情報から特定される前記無線端末の位置の変化量を前記無線端末の移動量として算出するか、または、当該変化量から換算される前記無線端末の移動量を算出する移動量測定処理と、
前記移動量測定処理により算出された移動量と閾値とを比較して、前記無線端末の移動量の大小を判定する移動量判定処理と、
互いに重複する、前記非仮想セルエリア内のセルと前記仮想セルエリア内のセルとの中から前記無線端末の種別に応じて選択されたセルに前記無線端末を接続し、前記移動量判定処理の判定結果に応じて、互いに重複する、前記非仮想セルエリア内のセルと前記仮想セルエリア内のセルとの間で、前記無線端末の接続先のセルを切り換える接続制御処理と
を実行させるサービスエリア構築プログラム。
【発明の詳細な説明】
【技術分野】
【０００１】
本発明は、無線通信システム、接続方法、サービスエリア構築装置およびサービスエリア構築プログラムに関するものである。
【背景技術】
【０００２】
無線ＬＡＮシステムで使用可能な周波数帯には、主として２．４ＧＨｚ帯と５ＧＨｚ帯とがある。「ＬＡＮ」は、Ｌｏｃａｌ  Ａｒｅａ  Ｎｅｔｗｏｒｋの略語である。「ＧＨｚ」は、Ｇｉｇａｈｅｒｔｚの略語である。２．４ＧＨｚ帯を利用したサービスは、利用増により混雑している。そのため、２．４ＧＨｚ帯に比べて現状利用者が少ない５ＧＨｚ帯への移行に向けた取り組みが進められている。例えば、標準化が完了した最新の無線ＬＡＮ規格であるＩＥＥＥ８０２．１１ａｃは、５ＧＨｚ帯のみで規定された規格である。【０００３】
無線ＬＡＮ基地局としては、２．４ＧＨｚ帯と５ＧＨｚ帯との同時通信が可能なデュアル構成の基地局が主流である。しかし、最近では、１台の基地局で２．４ＧＨｚ帯と５ＧＨｚ帯との同時通信以外に、２系統の５ＧＨｚ帯の同時通信が可能な無線ＬＡＮ基地局が登場している。よって、５ＧＨｚ帯への移行に対応しつつ、同じ場所で複数の周波数帯を使用して同時にサービスを提供することが可能となっている。【０００４】
基地局に接続する無線端末としては、ノートＰＣ、タブレット、スマートフォンおよび無線ＩＰ電話といった多種多様な端末が登場している。「ＰＣ」は、Ｐｅｒｓｏｎａｌ  Ｃｏｍｐｕｔｅｒの略語である。「ＩＰ」は、Ｉｎｔｅｒｎｅｔ  Ｐｒｏｔｏｃｏｌの略語である。多種多様な無線端末を複数の周波数帯を使用してサービスエリアに効率的に収容し、サービスを提供することが可能な無線ＬＡＮシステムの構築が必要となっている。【０００５】
一般的な無線ＬＡＮシステムにおいては、使用される周波数が異なるセルである非仮想セルが相互に隣接するように、各基地局に周波数が割り当てられる。例えば、図１７に示す４つの周波数ｆ１、ｆ２、ｆ３およびｆ４が使用可能であるとする。この場合、図１８に示すように、４つの周波数ｆ１、ｆ２、ｆ３およびｆ４を各基地局に割り当てて、隣接するセル同士で周波数が重複しないように構成されたサービスエリアである非仮想セルエリアを構築することができる。図１８の例では、４つの非仮想セルエリアが構築されている。【０００６】
特許文献１に記載の無線ＬＡＮシステムにおいては、使用される周波数が共通しＣＳＭＡ／ＣＡによるアクセス制御が有効なセルである仮想セルが相互に隣接するように、各基地局に周波数が割り当てられる。「ＣＳＭＡ／ＣＡ」は、Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅの略語である。例えば、図１７に示す４つの周波数ｆ１、ｆ２、ｆ３およびｆ４が使用可能であるとする。この場合、図１９に示すように、４つの周波数ｆ１、ｆ２、ｆ３およびｆ４を各基地局に割り当てて、同じサービスエリア内では周波数が共通するが、隣接するサービスエリア同士で周波数が重複しないように構成されたサービスエリアである仮想セルエリアを構築することができる。図１９の例では、４つの仮想セルエリアが構築されている。
【先行技術文献】
【特許文献】
【０００７】
【特許文献１】特開２００７−１６６４１１号公報
【発明の概要】
【発明が解決しようとする課題】
【０００８】
非仮想セルエリアを構築する場合は、仮想セルエリアを構築する場合に比べて周波数の異なるセルの配置が密になるため、システムスループットが向上する。しかし、無線端末の移動に伴うハンドオーバが頻繁に発生して通信断が発生するか、または、通信が不安定となるおそれがある。一方、仮想セルエリアを構築する場合は、非仮想セルエリアを構築する場合に比べて同一周波数のエリアが広くなるため、無線端末の移動に伴うハンドオーバの頻度が低減される。しかし、仮想セルエリア内でＣＳＭＡ／ＣＡの衝突回避機能によるアクセス制御の動作が必要になるため、システムスループットが低下するおそれがある。【０００９】
このように、従来技術では、非仮想セルエリアを採用してスループットを優先するか、もしくは、仮想セルエリアを採用してハンドオーバの頻度を低減するかのトレードオフによりサービスエリアを構築する必要がある。そのため、種別および移動量等の異なる多種多様な無線端末が存在する環境においては、構築したサービスエリアが一部の端末にしか適しておらず、残りの端末には適していないという事態が起こりやすい。【００１０】
本発明は、多種多様な無線端末が端末ごとに適したサービスエリアを利用できるようにすることを目的とする。
【課題を解決するための手段】
【００１１】
本発明の一態様に係る無線通信システムは、
あるセルに接続し基地局を介して無線通信を行っている無線端末が同じサービスエリア内の隣接するセルに移動したときに前記無線端末の接続先のセルを前記無線端末の移動先のセルに切り換える無線通信システムにおいて、
互いに隣接するセルで前記無線通信に使用される周波数が相違するサービスエリアである非仮想セルエリアと、互いに隣接するセルで前記無線通信に使用される周波数が共通し前記非仮想セルエリアと重複するサービスエリアである仮想セルエリアとを構築するために、前記非仮想セルエリア内の各セルで使用される周波数と、前記仮想セルエリア内の各セルで使用される周波数とを前記基地局に設定する周波数制御部と、
互いに重複する、前記非仮想セルエリア内のセルと前記仮想セルエリア内のセルとの中から選択されたセルに前記無線端末を接続する接続制御部とを備える。
【発明の効果】
【００１２】
本発明では、互いに重複する、非仮想セルエリア内のセルと仮想セルエリア内のセルとの中から選択されたセルに無線端末が接続される。そのため、多種多様な無線端末が端末ごとに適したサービスエリアを利用できる。
【図面の簡単な説明】
【００１３】
【図１】実施の形態１に係る無線通信システムの構成を示すブロック図。
【図２】実施の形態１に係る無線通信システムの構成の例を示すブロック図。
【図３】実施の形態１に係る無線通信システムで使用される周波数の例を示す分布図。
【図４】実施の形態１に係る無線通信システムで構築されるサービスエリアの例を示す図。
【図５】実施の形態１に係る無線通信システムで構築されるサービスエリアの例を示す図。
【図６】実施の形態１に係るサービスエリア構築装置の構成を示すブロック図。
【図７】実施の形態１に係るサービスエリア構築装置の動作を示すフローチャート。
【図８】実施の形態２に係るサービスエリア構築装置の動作を示すフローチャート。
【図９】実施の形態２に係るサービスエリア構築装置の処理結果の例を示す表。
【図１０】実施の形態３に係るサービスエリア構築装置の構成を示すブロック図。
【図１１】実施の形態３に係るサービスエリア構築装置の動作を示すフローチャート。
【図１２】実施の形態３に係る無線通信システムで構築されるサービスエリアの例を示す図。
【図１３】実施の形態３に係る無線通信システムで構築されるサービスエリアの例を示す図。
【図１４】実施の形態４に係るサービスエリア構築装置の構成を示すブロック図。
【図１５】実施の形態４に係る無線端末の構成を示すブロック図。
【図１６】実施の形態４に係る無線端末の動作を示すフローチャート。
【図１７】無線ＬＡＮシステムで使用される周波数の例を示す分布図。
【図１８】非仮想セルエリアの例を示す図。
【図１９】仮想セルエリアの例を示す図。
【発明を実施するための形態】
【００１４】
以下、本発明の実施の形態について、図を用いて説明する。各図中、同一または相当する部分には、同一符号を付している。実施の形態の説明において、同一または相当する部分については、説明を適宜省略または簡略化する。なお、本発明は、以下に説明する実施の形態に限定されるものではなく、必要に応じて種々の変更が可能である。例えば、以下に説明する実施の形態のうち、２つ以上の実施の形態が組み合わせられて実施されても構わない。あるいは、以下に説明する実施の形態のうち、１つの実施の形態または２つ以上の実施の形態の組み合わせが部分的に実施されても構わない。
【００１５】
実施の形態１．
本実施の形態について、図１から図７を用いて説明する。
【００１６】
＊＊＊構成の説明＊＊＊
図１および図２を参照して、本実施の形態に係る無線通信システム１００の構成を説明する。
【００１７】
無線通信システム１００は、無線端末２００と、基地局３００と、無線端末２００および基地局３００とは独立した装置であるサービスエリア構築装置４００とを有する。
【００１８】
無線端末２００および基地局３００は、無線ネットワーク１０１を構成している。
【００１９】
無線ネットワーク１０１は、あるセルに接続し基地局３００を介して無線通信を行っている無線端末２００が同じサービスエリア内の隣接するセルに移動したときに、無線端末２００の接続先のセルを無線端末２００の移動先のセルに切り換えるネットワークである。
【００２０】
本実施の形態では、基地局３００の無線機能のデュアル構成を利用して非仮想セルエリアと仮想セルエリアとの２重のサービスエリアが構築される。すなわち、無線ネットワーク１０１に対して、互いに重複する非仮想セルエリアと仮想セルエリアとの２つのサービスエリアが構築される。非仮想セルエリアは、互いに隣接するセルで無線通信に使用される周波数が相違するサービスエリアである。仮想セルエリアは、互いに隣接するセルで無線通信に使用される周波数が共通するサービスエリアである。
【００２１】
なお、基地局３００がデュアル構成よりも多くの系統の周波数帯に対応しているのであれば、３重以上のサービスエリアが構築されてもよい。すなわち、無線ネットワーク１０１に対して、２つ以上の非仮想セルエリアと１つ以上の仮想セルエリアとを含むか、あるいは、１つ以上の非仮想セルエリアと２つ以上の仮想セルエリアとを含み、互いに重複する３つ以上のサービスエリアが構築されてもよい。
【００２２】
必須ではないが、無線ネットワーク１０１は、無線端末２００が互いに隣接するサービスエリア間を移動したときに、無線端末２００の接続先のセルを無線端末２００の移動元のサービスエリア内のセルから無線端末２００の移動先のサービスエリア内のセルに切り換えるネットワークでもある。
【００２３】
無線ネットワーク１０１は、本実施の形態では無線ＬＡＮであるが、上述したように、無線端末２００の移動に伴って無線端末２００の接続先のセルを切り換えられるネットワークであれば任意のネットワークでよい。
【００２４】
サービスエリア構築装置４００は、複数の基地局３００と接続し、各基地局３００の配置に関する情報の管理と、各基地局３００の周波数制御とを行う。基地局３００は、デュアル構成の無線部３０１，３０２を有し、非仮想セルと仮想セルとの２重のセルを形成する。サービスエリア構築装置４００は、非仮想セルで使用される周波数を各基地局３００の無線部３０１に設定するとともに、仮想セルで使用される周波数を各基地局３００の無線部３０２に設定する。各基地局３００の形成するセルには、１つ以上の無線端末２００が配置される。サービスエリア構築装置４００は、各基地局３００から、各基地局３００に接続している無線端末２００の種別および接続状況に関する情報を収集する。サービスエリア構築装置４００は、無線端末２００の種別または移動量に応じて無線端末２００を収容するサービスエリアを選択するか、あるいは、切り換える。
【００２５】
例えば、図３に示す４つの周波数ｆ１、ｆ２、ｆ３およびｆ４と、別の４つの周波数ｆ５、ｆ６、ｆ７およびｆ８との２組が使用可能であるとする。この場合、サービスエリア構築装置４００は、図４および図５に示すように、４つの周波数ｆ１、ｆ２、ｆ３およびｆ４を各基地局３００に割り当てて非仮想セルエリアを構築するとともに、別の４つの周波数ｆ５、ｆ６、ｆ７およびｆ８を各基地局３００に割り当てて仮想セルエリアを非仮想セルエリアに重ねて構築する。非仮想セルエリアは、隣接するセル同士で周波数が重複しないように構成されている。仮想セルエリアは、同じサービスエリア内では周波数が共通するが、隣接するサービスエリア同士で周波数が重複しないように構成されている。図４の例では、４つの非仮想セルエリアと、４つの仮想セルエリアとが構築されている。１つの非仮想セルエリアおよびその非仮想セルエリアに重なる仮想セルエリアは、４つの基地局３００により形成されている。図２および図５の例では、ＢＳ１、ＢＳ２、ＢＳ３およびＢＳ４の４つの基地局３００に非仮想セル用の周波数ｆ１、ｆ２、ｆ３およびｆ４がそれぞれ割り当てられ、これら４つの基地局３００により形成されている非仮想セルエリアにＳＳＩＤ「Ａ」が割り当てられている。さらに、ＢＳ１、ＢＳ２、ＢＳ３およびＢＳ４の４つの基地局３００に仮想セル用の周波数ｆ５が共通に割り当てられ、これら４つの基地局３００により形成されている仮想セルエリアにＳＳＩＤ「Ｂ」が割り当てられている。「ＳＳＩＤ」は、Ｓｅｒｖｉｃｅ  Ｓｅｔ  Ｉｄｅｎｔｉｆｉｅｒの略語である。
【００２６】
図６を参照して、本実施の形態に係るサービスエリア構築装置４００の構成を説明する。
【００２７】
サービスエリア構築装置４００は、コンピュータである。サービスエリア構築装置４００は、プロセッサ４０１を備えるとともに、メモリ４０２、入力インタフェース４０３および出力インタフェース４０４といった他のハードウェアを備える。プロセッサ４０１は、信号線を介して他のハードウェアと接続され、これら他のハードウェアを制御する。
【００２８】
サービスエリア構築装置４００は、機能要素として、基地局監視制御部４１０と、端末監視制御部４２０とを備える。基地局監視制御部４１０および端末監視制御部４２０の機能は、ソフトウェアにより実現される。基地局監視制御部４１０は、配置管理部４１１および周波数制御部４１２を有する。端末監視制御部４２０は、情報管理部４２１、移動量測定部４２２、移動量判定部４２３および接続制御部４２４を有する。
【００２９】
プロセッサ４０１は、サービスエリア構築プログラムを実行する装置である。サービスエリア構築プログラムは、基地局監視制御部４１０および端末監視制御部４２０の機能を実現するプログラムである。プロセッサ４０１は、例えば、ＣＰＵである。「ＣＰＵ」は、Ｃｅｎｔｒａｌ  Ｐｒｏｃｅｓｓｉｎｇ  Ｕｎｉｔの略語である。
【００３０】
メモリ４０２は、サービスエリア構築プログラムを記憶する装置である。メモリ４０２は、例えば、フラッシュメモリまたはＲＡＭである。「ＲＡＭ」は、Ｒａｎｄｏｍ  Ａｃｃｅｓｓ  Ｍｅｍｏｒｙの略語である。
【００３１】
メモリ４０２には、各基地局３００の配置情報４３１および周波数情報４３２と、各無線端末２００の種別情報４４１、接続情報４４２、移動量情報４４３および移動判定情報４４４とが格納されている。
【００３２】
入力インタフェース４０３は、各基地局３００から監視制御用ネットワークを介して情報を受信するレシーバと、情報の入力のためにオペレータにより操作される入力機器が接続されるポートとの少なくともいずれかである。図示していないが、監視制御用ネットワークは、例えば、有線ＬＡＮである。入力機器は、例えば、マウス、キーボードまたはタッチパネルである。
【００３３】
出力インタフェース４０４は、各基地局３００へ監視制御用ネットワークを介して情報を送信するトランスミッタと、情報を画面に表示するディスプレイが接続されるポートとの少なくともいずれかである。図示していないが、ディスプレイは、例えば、ＬＣＤである。「ＬＣＤ」は、Ｌｉｑｕｉｄ  Ｃｒｙｓｔａｌ  Ｄｉｓｐｌａｙの略語である。
【００３４】
サービスエリア構築プログラムは、プロセッサ４０１に読み込まれ、プロセッサ４０１によって実行される。メモリ４０２には、サービスエリア構築プログラムだけでなく、ＯＳも記憶されている。「ＯＳ」は、Ｏｐｅｒａｔｉｎｇ  Ｓｙｓｔｅｍの略語である。プロセッサ４０１は、ＯＳを実行しながら、サービスエリア構築プログラムを実行する。
【００３５】
サービスエリア構築プログラムおよびＯＳは、補助記憶装置に記憶されていてもよい。補助記憶装置は、例えば、フラッシュメモリまたはＨＤＤである。「ＨＤＤ」は、Ｈａｒｄ  Ｄｉｓｋ  Ｄｒｉｖｅの略語である。補助記憶装置に記憶されているサービスエリア構築プログラムおよびＯＳは、メモリ４０２にロードされ、プロセッサ４０１によって実行される。
【００３６】
なお、サービスエリア構築プログラムの一部または全部がＯＳに組み込まれていてもよい。
【００３７】
サービスエリア構築装置４００は、プロセッサ４０１を代替する複数のプロセッサを備えていてもよい。これら複数のプロセッサは、サービスエリア構築プログラムの実行を分担する。それぞれのプロセッサは、プロセッサ４０１と同じように、サービスエリア構築プログラムを実行する装置である。
【００３８】
サービスエリア構築プログラムにより利用、処理または出力されるデータ、情報、信号値および変数値は、メモリ４０２、補助記憶装置、または、プロセッサ４０１内のレジスタまたはキャッシュメモリに記憶される。
【００３９】
サービスエリア構築プログラムは、基地局監視制御部４１０および端末監視制御部４２０が有する各部の「部」を「処理」に読み替えた各処理、または、基地局監視制御部４１０および端末監視制御部４２０が有する各部の「部」を「手順」に読み替えた各手順をコンピュータに実行させるプログラムである。サービスエリア構築プログラムは、コンピュータ読取可能な媒体に記録されて提供されてもよいし、プログラムプロダクトとして提供されてもよい。
【００４０】
＊＊＊動作の説明＊＊＊
図７を参照して、本実施の形態に係るサービスエリア構築装置４００の動作を説明する。この動作は、本実施の形態に係るサービスエリア構築方法および接続方法に相当する。
【００４１】
ステップＳ１１において、配置管理部４１１は、オフィス等の所望の場所で無線ＬＡＮによる通信が可能となるように配置された各基地局３００の配置情報４３１を管理する。具体的には、配置管理部４１１は、入力インタフェース４０３を介して各基地局３００またはオペレータから入力される配置情報４３１をメモリ４０２に格納する。配置情報４３１は、各基地局３００の緯度経度等、各基地局３００の位置を示す情報である。
【００４２】
ステップＳ１２において、周波数制御部４１２は、非仮想セルエリアを構築するために、非仮想セルエリア内の各セルで使用される周波数を各基地局３００に設定する。１つの非仮想セルエリアのみが構築されてもよいが、本実施の形態では、少なくとも２つの非仮想セルエリアが構築される。よって、周波数制御部４１２は、少なくとも２つの非仮想セルエリアを構築するために、各非仮想セルエリア内の各セルで使用される周波数を各基地局３００に設定する。具体的には、周波数制御部４１２は、各基地局３００の配置情報４３１をもとにして、各基地局３００が有する２つの無線部３０１，３０２のうち、無線部３０１が使用する周波数を、隣接するセルの周波数と異なる周波数となるように決定する。周波数制御部４１２は、出力インタフェース４０４を介して、決定した周波数を各基地局３００の無線部３０１に設定する。無線部３０１に対応するセルは、非仮想セルである。周波数制御部４１２は、出力インタフェース４０４を介して、非仮想セル用のＳＳＩＤを各基地局３００の無線部３０１に割り当てる。図２および図５の例では、周波数制御部４１２は、ＢＳ１、ＢＳ２、ＢＳ３およびＢＳ４の４つの基地局３００の無線部３０１に周波数ｆ１、ｆ２、ｆ３およびｆ４をそれぞれ設定し、これら４つの基地局３００の非仮想セルにＳＳＩＤ「Ａ」を共通に割り当てる。周波数制御部４１２は、同様に、ＢＳ５からＢＳｘまでの他の基地局３００の無線部３０１に周波数ｆ１、ｆ２、ｆ３またはｆ４を設定し、それら他の基地局３００の非仮想セルにＳＳＩＤ「Ｃ」、「Ｅ」または「Ｇ」を割り当てる。なお、それら他の基地局３００の非仮想セルに同一のＳＳＩＤ「Ａ」を割り当ててもよい。
【００４３】
ステップＳ１３において、周波数制御部４１２は、仮想セルエリアを構築するために、仮想セルエリア内の各セルで使用される周波数を各基地局３００に設定する。１つの仮想セルエリアのみが構築されてもよいが、本実施の形態では、互いに隣接する仮想セルエリアで無線通信に使用される周波数が相違する少なくとも２つの仮想セルエリアが構築される。よって、周波数制御部４１２は、そのような少なくとも２つの仮想セルエリアを構築するために、各仮想セルエリア内の各セルで使用される周波数を各基地局３００に設定する。具体的には、周波数制御部４１２は、各基地局３００の配置情報４３１をもとにして、各基地局３００が有する２つの無線部３０１，３０２のうち、無線部３０２が使用する周波数を、隣接するセルの周波数と同じ周波数となるように決定する。周波数制御部４１２は、出力インタフェース４０４を介して、決定した周波数を各基地局３００の無線部３０２に設定する。無線部３０２に対応するセルは、仮想セルである。周波数制御部４１２は、出力インタフェース４０４を介して、仮想セル用のＳＳＩＤを各基地局３００の無線部３０２に割り当てる。図２および図５の例では、周波数制御部４１２は、ＢＳ１、ＢＳ２、ＢＳ３およびＢＳ４の４つの基地局３００の無線部３０２に周波数ｆ５を共通に設定し、これら４つの基地局３００の仮想セルにＳＳＩＤ「Ｂ」を共通に割り当てる。周波数制御部４１２は、同様に、ＢＳ５からＢＳｘまでの他の基地局３００の無線部３０１に周波数ｆ６、ｆ７またはｆ８を設定し、それら他の基地局３００の仮想セルにＳＳＩＤ「Ｄ」、「Ｆ」または「Ｈ」を割り当てる。なお、それら他の基地局３００の仮想セルに同一のＳＳＩＤ「Ｂ」を割り当ててもよい。
【００４４】
周波数制御部４１２は、ステップＳ１２およびステップＳ１３で各基地局３００の２つの無線部３０１，３０２に設定した周波数と、各基地局３００の２つの無線部３０１，３０２に割り当てたＳＳＩＤとを示す情報を周波数情報４３２として生成し、各基地局３００の周波数情報４３２をメモリ４０２に格納する。
【００４５】
ステップＳ１４において、接続制御部４２４は、互いに重複する、非仮想セルエリア内のセルと仮想セルエリア内のセルとの中から選択されたセルに各無線端末２００を接続する。本実施の形態では、接続制御部４２４は、各無線端末２００の種別に応じて、互いに重複する、非仮想セルエリア内のセルと仮想セルエリア内のセルとの中から、各無線端末２００の接続先のセルを選択する。接続制御部４２４は、選択したセルに各無線端末２００を接続する。具体的には、接続制御部４２４は、各無線端末２００の種別情報４４１をもとにして、ノートＰＣ等、移動量が小と想定される無線端末２００を非仮想セルエリア内のセルに接続し、タブレット、スマートフォンおよび無線ＩＰ電話等、移動量が大と想定される無線端末２００を仮想セルエリア内のセルに接続する。種別情報４４１は、各無線端末２００の種別を示す情報である。情報管理部４２１は、入力インタフェース４０３を介して各基地局３００またはオペレータから入力される各無線端末２００の種別情報４４１をメモリ４０２にあらかじめ格納している。図２および図５の例では、１つの無線端末２００として、ＷＴ１がＢＳ２の非仮想セルおよび仮想セル内に存在している。ＷＴ１がＢＳ２に対して接続を要求しているとすると、接続制御部４２４は、ＷＴ１がノートＰＣであれば、ＷＴ１をＢＳ２の非仮想セルに接続し、ＷＴ１がタブレット、スマートフォンまたは無線ＩＰ電話であれば、ＷＴ１をＢＳ２の仮想セルに接続する。ＷＴ１は、ＢＳ２の非仮想セルに接続した場合は、周波数ｆ２を使用して無線通信を行う。一方、ＷＴ１は、ＢＳ２の仮想セルに接続した場合は、周波数ｆ５を使用して無線通信を行う。接続制御部４２４が無線端末２００の接続を制御する方法としては、任意の方法を用いることができるが、本実施の形態では、接続制御部４２４が無線端末２００から基地局３００を介して接続の要求を受信し、その要求に対して、接続を許可するセルのＳＳＩＤを、基地局３００を介して返信する方法が用いられる。上記の例では、接続制御部４２４は、ＷＴ１がノートＰＣであれば、ＳＳＩＤ「Ａ」をＷＴ１に通知し、ＷＴ１がタブレット、スマートフォンまたは無線ＩＰ電話であれば、ＳＳＩＤ「Ｂ」をＷＴ１に通知する。
【００４６】
接続制御部４２４は、ステップＳ１４で各無線端末２００を接続したセルのＳＳＩＤを示す情報を接続情報４４２として生成し、各無線端末２００の接続情報４４２をメモリ４０２に格納する。
【００４７】
このように、サービスエリア構築装置４００は、非仮想セルエリアと仮想セルエリアとの２重のサービスエリアを構築した後、各無線端末２００の種別によって、各無線端末２００を非仮想セルエリアと仮想セルエリアとのいずれかに収容する。
【００４８】
ステップＳ１５において、移動量測定部４２２は、ステップＳ１４で接続済の各無線端末２００の移動量を定期的に測定する。具体的には、移動量測定部４２２は、各無線端末２００の位置の変化を監視して、各無線端末２００の移動量を測定する。移動量測定部４２２が無線端末２００の位置の変化を監視する方法としては、任意の方法を用いることができるが、本実施の形態では、移動量測定部４２２が無線端末２００から基地局３００を介して定期的に位置情報を受信し、直近の一定期間内に受信した位置情報から特定される位置の変化量を算出する方法が用いられる。この方法により算出された位置の変化量は、無線端末２００の移動量とみなされるか、あるいは、任意の式を用いて無線端末２００の移動量に換算される。
【００４９】
移動量測定部４２２は、ステップＳ１５で測定した各無線端末２００の移動量を示す情報を移動量情報４４３として生成し、各無線端末２００の移動量情報４４３をメモリ４０２に格納する。移動量情報４４３は、ステップＳ１６で移動量判定部４２３により参照される。
【００５０】
ステップＳ１６において、移動量判定部４２３は、ステップＳ１５で測定された各無線端末２００の移動量の大小を判定する。具体的には、移動量判定部４２３は、移動量測定部４２２により測定された移動量と閾値とを比較する。移動量が閾値未満であれば、ステップＳ１７の処理が行われる。移動量が閾値以上であれば、ステップＳ１８の処理が行われる。
【００５１】
移動量判定部４２３は、ステップＳ１６の判定結果を示す情報を移動判定情報４４４として生成し、各無線端末２００の移動判定情報４４４をメモリ４０２に格納する。移動判定情報４４４は、ステップＳ１７およびステップＳ１８のいずれの処理を行うか決定するために、接続制御部４２４により参照される。
【００５２】
ステップＳ１７およびステップＳ１８において、接続制御部４２４は、各無線端末２００の移動量に応じて、互いに重複する、非仮想セルエリア内のセルと仮想セルエリア内のセルとの間で、各無線端末２００の接続先のセルを切り換える。具体的には、ある無線端末２００が仮想セルエリア内のセルに接続しているときに、その無線端末２００の移動量が閾値よりも小さくなった場合、ステップＳ１７において、接続制御部４２４は、その無線端末２００の接続先のセルを、その無線端末２００が接続しているセルと重複する、非仮想セルエリア内のセルに切り換える。一方、その無線端末２００の移動量が閾値よりも小さくなっていなければ、ステップＳ１８において、接続制御部４２４は、その無線端末２００の接続先のセルを切り換えない。すなわち、接続制御部４２４は、その無線端末２００の仮想セルエリア内のセルへの接続を維持する。また、ある無線端末２００が非仮想セルエリア内のセルに接続しているときに、その無線端末２００の移動量が閾値よりも大きくなった場合、ステップＳ１８において、接続制御部４２４は、その無線端末２００の接続先のセルを、その無線端末２００が接続しているセルと重複する、仮想セルエリア内のセルに切り換える。本実施の形態では、その無線端末２００の移動量が閾値と同じになった場合も、ステップＳ１８において、接続制御部４２４は、その無線端末２００の接続先のセルを、その無線端末２００が接続しているセルと重複する、仮想セルエリア内のセルに切り換える。一方、その無線端末２００の移動量が閾値よりも小さければ、ステップＳ１７において、接続制御部４２４は、その無線端末２００の接続先のセルを切り換えない。すなわち、接続制御部４２４は、その無線端末２００の非仮想セルエリア内のセルへの接続を維持する。図２および図５の例では、接続制御部４２４は、ＷＴ１がノートＰＣであっても、ＷＴ１の位置の変化量が大きければ、ＷＴ１の非仮想セルへの接続を切断するとともに、ＷＴ１を仮想セルに接続する。また、接続制御部４２４は、ＷＴ１がタブレット、スマートフォンまたは無線ＩＰ電話であっても、ＷＴ１の位置の変化量が小さければ、ＷＴ１の仮想セルへの接続を切断するとともに、ＷＴ１を非仮想セルに接続する。接続制御部４２４が無線端末２００の接続を制御する方法については、前述した通りである。上記の例では、接続制御部４２４は、ＷＴ１の接続先のセルを切り換える際には、切り換え先のセルのＳＳＩＤをＷＴ１に通知する。
【００５３】
このように、サービスエリア構築装置４００は、各無線端末２００を非仮想セルエリアと仮想セルエリアとのいずれかに収容した後、各無線端末２００の移動量を定期的に測定し、移動量の大小の判定結果によって、各無線端末２００の収容先を変更する。
【００５４】
ステップＳ１９において、情報管理部４２１は、必要に応じて、メモリ４０２に格納されている各無線端末２００の接続情報４４２を更新する。具体的には、情報管理部４２１は、ステップＳ１７またはステップＳ１８で、いずれかの無線端末２００の接続先のセルが切り換えられた場合、その無線端末２００の接続情報４４２を、その無線端末２００を接続したセルのＳＳＩＤを示す情報に更新する。
【００５５】
ステップＳ１９の処理の後は、ステップＳ１５の処理が再び行われる。
【００５６】
なお、ステップＳ１６で用いられる閾値を可変とすることにより、非仮想セルエリアへの無線端末２００の収容数と仮想セルエリアへの無線端末２００の収容数とのバランスを調整してもよい。
【００５７】
＊＊＊実施の形態の効果の説明＊＊＊
本実施の形態では、互いに重複する、非仮想セルエリア内のセルと仮想セルエリア内のセルとの中から選択されたセルに無線端末２００が接続される。そのため、多種多様な無線端末２００が端末ごとに適したサービスエリアを利用できる。
【００５８】
本実施の形態では、無線ＬＡＮのサービスエリアが、非仮想セルで構成されたエリアと、仮想セルで構成されたエリアとの２重構成になっている。すなわち、複数の基地局３００を面状に配置し、衝突回避機能が付加されているアクセス制御方式が有効なセルにより無線通信のサービスエリアを構築する際に、周波数が同じセルを相互に隣接させた仮想セルエリアと、周波数が異なるセルを相互に隣接させた非仮想セルエリアとの２重のサービスエリアが構築される。無線端末２００の種別または移動量に応じて、無線端末２００ごとに最適なサービスエリアが選択される。必要に応じて、無線端末２００の収容先のサービスエリアを切り換えることも可能である。よって、移動量が小さい無線端末２００に対しては、スループットを向上させることができる。移動量が大きい無線端末２００に対しては、ハンドオーバの頻度を少なくして通信断を発生しにくくし、かつ、通信を安定させることができる。
【００５９】
＊＊＊他の構成＊＊＊
本実施の形態では、基地局監視制御部４１０および端末監視制御部４２０の機能がソフトウェアにより実現されるが、変形例として、基地局監視制御部４１０および端末監視制御部４２０の機能がソフトウェアとハードウェアとの組み合わせにより実現されてもよい。すなわち、基地局監視制御部４１０および端末監視制御部４２０の機能の一部が専用のハードウェアにより実現され、残りがソフトウェアにより実現されてもよい。
【００６０】
専用のハードウェアは、例えば、単一回路、複合回路、プログラム化したプロセッサ、並列プログラム化したプロセッサ、ロジックＩＣ、ＧＡ、ＦＰＧＡまたはＡＳＩＣである。「ＧＡ」は、Ｇａｔｅ  Ａｒｒａｙの略語である。「ＦＰＧＡ」は、Ｆｉｅｌｄ−Ｐｒｏｇｒａｍｍａｂｌｅ  Ｇａｔｅ  Ａｒｒａｙの略語である。「ＡＳＩＣ」は、Ａｐｐｌｉｃａｔｉｏｎ  Ｓｐｅｃｉｆｉｃ  Ｉｎｔｅｇｒａｔｅｄ  Ｃｉｒｃｕｉｔの略語である。
【００６１】
プロセッサ４０１および専用のハードウェアは、いずれも処理回路である。すなわち、基地局監視制御部４１０および端末監視制御部４２０の機能がソフトウェアにより実現されるか、ソフトウェアとハードウェアとの組み合わせにより実現されるかに関わらず、基地局監視制御部４１０および端末監視制御部４２０の機能は、処理回路により実現される。
【００６２】
本実施の形態では、無線通信システム１００が、無線端末２００および基地局３００とは独立した装置であるサービスエリア構築装置４００を有するが、変形例として、サービスエリア構築装置４００が、いずれかの基地局３００に統合されてもよい。あるいは、サービスエリア構築装置４００と同等の機能が、各基地局３００に分散して実装されてもよい。
【００６３】
実施の形態２．
本実施の形態について、主に実施の形態１との差異を、図８および図９を用いて説明する。
【００６４】
本実施の形態では、サービスエリア構築装置４００が、各無線端末２００が接続している基地局３００の情報から各無線端末２００の移動量を測定し、その移動量の大小を判定する。
【００６５】
＊＊＊構成の説明＊＊＊
本実施の形態に係る無線通信システム１００の構成については、実施の形態１に係る無線通信システム１００の構成と同じであるため、説明を省略する。
【００６６】
＊＊＊動作の説明＊＊＊
図８を参照して、本実施の形態に係るサービスエリア構築装置４００の動作を説明する。この動作は、本実施の形態に係る接続方法に相当する。
【００６７】
本実施の形態でも、図７に示したステップＳ１１からステップＳ１４の処理が行われる。すなわち、実施の形態１と同じように、サービスエリア構築装置４００は、非仮想セルエリアと仮想セルエリアとの２重のサービスエリアを構築した後、各無線端末２００の種別によって、各無線端末２００を非仮想セルエリアと仮想セルエリアとのいずれかに収容する。
【００６８】
本実施の形態では、図７に示したステップＳ１５からステップＳ１９の処理に代えて、ステップＳ２１からステップＳ２７の処理が行われる。実施の形態１では、移動量測定部４２２が、各無線端末２００の位置の変化を監視して、各無線端末２００の移動量を測定するが、本実施の形態では、移動量測定部４２２が、各無線端末２００の接続先の切り換えを監視して、各無線端末２００の移動量を測定する。
【００６９】
ステップＳ２１において、移動量測定部４２２は、各無線端末２００が接続している基地局３００を確認する。ステップＳ２１の処理は、あらかじめ設定された測定時刻ごとに行われる。具体的には、移動量測定部４２２は、入力インタフェース４０３を介して各基地局３００から入力される情報の中から、各無線端末２００が接続している基地局３００の情報を抽出する。
【００７０】
ステップＳ２２において、あらかじめ設定された測定期間が終了していなければ、ステップＳ２１の処理が再び行われる。測定期間が終了してれば、ステップＳ２３の処理が行われる。
【００７１】
ステップＳ２３において、移動量測定部４２２は、測定期間内にステップＳ２１で取得した情報から、測定期間内に各無線端末２００が接続している基地局３００が変更された回数を接続先変更回数として算出する。
【００７２】
移動量測定部４２２は、ステップＳ２３で算出した各無線端末２００の接続先変更回数を示す情報を移動量情報４４３として生成し、各無線端末２００の移動量情報４４３をメモリ４０２に格納する。移動量情報４４３は、ステップＳ２４で移動量判定部４２３により参照される。
【００７３】
図９の例では、移動量測定部４２２は、ＷＴ１、ＷＴ２およびＷＴ３の３つの無線端末２００が接続している基地局３００の情報を測定時刻ｔ１からｔ５の期間取得し、その期間における接続先変更回数を算出する。この例では、ＷＴ１の接続先変更回数が０回、ＷＴ２の接続先変更回数が１回、ＷＴ３の接続先変更回数が４回である。
【００７４】
ステップＳ２４において、移動量判定部４２３は、ステップＳ２３で算出された各無線端末２００の接続先変更回数と閾値とを比較し、各無線端末２００の移動量の大小を判定する。接続先変更回数が閾値未満であれば、ステップＳ２５の処理が行われる。接続先変更回数が閾値以上であれば、ステップＳ２６の処理が行われる。
【００７５】
移動量判定部４２３は、ステップＳ２４の判定結果を示す情報を移動判定情報４４４として生成し、各無線端末２００の移動判定情報４４４をメモリ４０２に格納する。移動判定情報４４４は、ステップＳ２５およびステップＳ２６のいずれの処理を行うか決定するために、接続制御部４２４により参照される。
【００７６】
図９の例では、閾値を１としているため、移動量測定部４２２は、測定期間内の接続先変更回数が１回以上の場合に移動量を大と判定し、それ以外は移動量を小と判定する。この例では、ＷＴ１の移動量は小、ＷＴ２の移動量は大、ＷＴ３の移動量は大と判定される。
【００７７】
ステップＳ２５およびステップＳ２６の処理については、図７に示したステップＳ１７およびステップＳ１８の処理と同じである。図９の例では、測定期間中、ＢＳ２の仮想セルに接続したままのＷＴ１の移動量が小と判定されるため、接続制御部４２４は、ＷＴ１の仮想セルへの接続を切断するとともに、ＷＴ１を非仮想セルに接続する。また、測定期間中、非仮想セル間の切り換えが１回発生したＷＴ２の移動量が大と判定されるため、接続制御部４２４は、ＷＴ２の非仮想セルへの接続を切断するとともに、ＷＴ２を仮想セルに接続する。一方、測定期間中、仮想セル間の切り換えが４回発生したＷＴ３の移動量が大と判定されるため、接続制御部４２４は、ＷＴ３の仮想セルへの接続を維持する。
【００７８】
このように、本実施の形態でも、サービスエリア構築装置４００は、各無線端末２００を非仮想セルエリアと仮想セルエリアとのいずれかに収容した後、各無線端末２００の移動量を定期的に測定し、移動量の大小の判定結果によって、各無線端末２００の収容先を変更する。
【００７９】
ステップＳ２７の処理については、図７に示したステップＳ１９の処理と同じである。
【００８０】
ステップＳ２７の処理の後は、ステップＳ２１の処理が再び行われる。
【００８１】
なお、ステップＳ２４で用いられる閾値を可変とすることにより、非仮想セルエリアへの無線端末２００の収容数と仮想セルエリアへの無線端末２００の収容数とのバランスを調整してもよい。
【００８２】
＊＊＊実施の形態の効果の説明＊＊＊
本実施の形態では、各無線端末２００の移動量が、各無線端末２００の基地局３００への接続状況を一定期間監視して算出される。そのため、無線端末２００からサービスエリア構築装置４００に定期的に位置情報を送信する必要がなくなる。
【００８３】
＊＊＊他の構成＊＊＊
本実施の形態では、実施の形態１と同じように、基地局監視制御部４１０および端末監視制御部４２０の機能がソフトウェアにより実現されるが、実施の形態１の変形例と同じように、基地局監視制御部４１０および端末監視制御部４２０の機能がソフトウェアとハードウェアとの組み合わせにより実現されてもよい。
【００８４】
実施の形態３．
本実施の形態について、主に実施の形態１との差異を、図１０から図１３を用いて説明する。
【００８５】
本実施の形態では、サービスエリア構築装置４００が、各無線端末２００の移動履歴に応じて、仮想セルエリアのセル構成を変更し、同一周波数のサービスエリアの範囲を変更する。なお、本実施の形態では、仮想セルエリアのみの１重以上のサービスエリアが構築されてもよい。すなわち、本実施の形態では、非仮想セルエリアが構築されなくてもよい。
【００８６】
＊＊＊構成の説明＊＊＊
実施の形態１と異なり、本実施の形態では、無線ネットワーク１０１が、無線端末２００が互いに隣接するサービスエリア間を移動したときに、無線端末２００の接続先のセルを無線端末２００の移動元のサービスエリア内のセルから無線端末２００の移動先のサービスエリア内のセルに切り換えるネットワークであることが必要である。
【００８７】
図１０を参照して、本実施の形態に係るサービスエリア構築装置４００の構成を説明する。
【００８８】
端末監視制御部４２０は、情報管理部４２１、移動量測定部４２２、移動量判定部４２３および接続制御部４２４のほかに、移動履歴作成部４２５を有する。
【００８９】
＊＊＊動作の説明＊＊＊
図１１を参照して、本実施の形態に係るサービスエリア構築装置４００の動作を説明する。この動作は、本実施の形態に係るサービスエリア構築方法に相当する。
【００９０】
本実施の形態において、サービスエリア構築装置４００は、非仮想セルエリアと仮想セルエリアとの２重のサービスエリアを構築した後、ステップＳ３１からステップＳ３７の処理を行うことで、仮想セルエリアの構成を適宜修正する。具体的には、サービスエリア構築装置４００は、各無線端末２００が接続している基地局３００の情報から、移動する無線端末２００の総数および移動範囲を検出し、検出結果によって、仮想セルエリアを構成するセルの周波数を変更し、同一周波数のサービスエリアの範囲を適応的に変更する。
【００９１】
ステップＳ３１において、移動量測定部４２２は、各無線端末２００が接続している基地局３００を確認する。ステップＳ３１の処理は、あらかじめ設定された測定時刻ごとに行われる。具体的には、移動量測定部４２２は、入力インタフェース４０３を介して各基地局３００から入力される情報の中から、各無線端末２００が接続している基地局３００の情報を抽出する。
【００９２】
ステップＳ３２において、あらかじめ設定された測定期間が終了していなければ、ステップＳ３１の処理が再び行われる。測定期間が終了してれば、ステップＳ３３の処理が行われる。
【００９３】
ステップＳ３３において、移動履歴作成部４２５は、測定期間内にステップＳ３１で取得した情報から、測定期間における、各無線端末２００が接続している基地局３００の変更履歴を各無線端末２００の移動履歴として作成する。
【００９４】
ステップＳ３４からステップＳ３６において、周波数制御部４１２は、各無線端末２００の移動履歴に応じて、各仮想セルエリアに含まれるセルの組み合わせを変更し、変更後の各仮想セルエリア内の各セルで使用される周波数を基地局３００に設定する。すなわち、周波数制御部４１２は、移動履歴作成部４２５により作成された各無線端末２００の移動履歴によって、各仮想セルエリアを構成するセルの周波数の見直しを行う。具体的には、ステップＳ３４において、周波数制御部４１２は、ステップＳ３３で作成された各無線端末２００の移動履歴から、各無線端末２００のハンドオーバ回数を算出する。ステップＳ３４において、周波数制御部４１２は、ステップＳ３４で算出した各無線端末２００のハンドオーバ回数と閾値とを比較する。すべての無線端末２００のうち、一定の割合を超える無線端末２００のハンドオーバ回数が閾値未満であれば、ステップＳ３１の処理が再び行われる。すべての無線端末２００のうち、一定の割合を超える無線端末２００のハンドオーバ回数が閾値以上であれば、ステップＳ３６の処理が行われる。閾値は、０よりも大きい任意の値に設定される。ステップＳ３６において、周波数制御部４１２は、各無線端末２００の移動履歴から、無線端末２００の移動範囲の傾向を分析し、分析結果によって、各仮想セルエリアの周波数配置を変更する。周波数制御部４１２は、出力インタフェース４０４を介して、変更後の周波数を各基地局３００の無線部３０２に設定する。周波数制御部４１２は、出力インタフェース４０４を介して、変更後の仮想セル用のＳＳＩＤを各基地局３００の無線部３０２に割り当てる。図１２および図１３は、無線端末２００の移動範囲の傾向をそれぞれ動線５０１，５０２で表している。図１２の例では、各動線５０１が１つの仮想セルエリア内に収まっているため、ステップＳ３６の処理は行われない。すなわち、各仮想セルエリアの周波数配置が維持される。一方、図１３の例では、各動線５０１が２つ以上の仮想セルエリア間に跨っているため、ステップＳ３６の処理が行われる。すなわち、無線端末２００の移動範囲をなるべく１つの仮想セルエリアでカバーできるように、各仮想セルエリアの周波数配置が調整される。
【００９５】
ステップＳ３７において、周波数制御部４１２は、メモリ４０２に格納されている各基地局３００の周波数情報４３２を更新する。具体的には、周波数制御部４１２は、ステップＳ３６で、いずれかの基地局３００の無線部３０２の周波数およびＳＳＩＤを変更した場合、その基地局３００の周波数情報４３２に含まれる、その基地局３００の無線部３０２に設定した周波数と、その基地局３００の無線部３０２に割り当てたＳＳＩＤとを示す情報を更新する。
【００９６】
＊＊＊他の構成＊＊＊
本実施の形態では、各無線端末２００の移動履歴に応じて、各無線端末２００のハンドオーバ回数が少なくなるように、各仮想セルエリアを構成するセルの周波数を変更することができる。図１２および図１３において動線５０１，５０２で示したような無線端末２００の移動範囲の傾向は、オフィスのレイアウト等に依存したものとなる可能性がある。よって、無線端末２００の移動範囲の傾向の分析結果に応じて、各仮想セルエリアの周波数配置を見直すことにより、無線端末２００のハンドオーバ回数を低減することが可能となる。
【００９７】
実施の形態４．
本実施の形態について、主に実施の形態１との差異を、図１４から図１６を用いて説明する。
【００９８】
本実施の形態では、各無線端末２００が、各無線端末２００の位置情報から各無線端末２００の移動量を測定し、その移動量の大小の判定結果に応じて、仮想セルエリアと非仮想セルエリアとの切り換えを自発的に行う。
【００９９】
＊＊＊構成の説明＊＊＊
図１４を参照して、本実施の形態に係るサービスエリア構築装置４００の構成を説明する。
【０１００】
端末監視制御部４２０は、情報管理部４２１および接続制御部４２４を有する。本実施の形態では、実施の形態１における移動量測定部４２２および移動量判定部４２３は不要である。
【０１０１】
メモリ４０２には、各基地局３００の配置情報４３１および周波数情報４３２と、各無線端末２００の種別情報４４１および接続情報４４２とが格納されている。本実施の形態では、実施の形態１における移動量情報４４３および移動判定情報４４４は不要である。
【０１０２】
図１５を参照して、本実施の形態に係る無線端末２００の構成を説明する。
【０１０３】
無線端末２００は、コンピュータである。無線端末２００は、プロセッサ２０１を備えるとともに、メモリ２０２、入力インタフェース２０３および出力インタフェース２０４といった他のハードウェアを備える。プロセッサ２０１は、信号線を介して他のハードウェアと接続され、これら他のハードウェアを制御する。
【０１０４】
無線端末２００は、機能要素として、情報管理部２１１と、移動量測定部２１２と、移動量判定部２１３と、接続制御部２１４とを備える。情報管理部２１１、移動量測定部２１２、移動量判定部２１３および接続制御部２１４の機能は、ソフトウェアにより実現される。
【０１０５】
プロセッサ２０１は、無線端末プログラムを実行する装置である。無線端末プログラムは、情報管理部２１１、移動量測定部２１２、移動量判定部２１３および接続制御部２１４の機能を実現するプログラムである。プロセッサ２０１は、例えば、ＣＰＵである。
【０１０６】
メモリ２０２は、無線端末プログラムを記憶する装置である。メモリ２０２は、例えば、フラッシュメモリまたはＲＡＭである。
【０１０７】
メモリ２０２には、移動量情報２２１、移動判定情報２２２および接続情報２２３が格納されている。
【０１０８】
入力インタフェース２０３は、各基地局３００から無線ネットワーク１０１を介して情報を受信するレシーバと、情報の入力のためにユーザにより操作される入力機器が接続されるポートとの少なくともいずれかである。入力機器は、例えば、マウス、キーボードまたはタッチパネルである。
【０１０９】
出力インタフェース２０４は、各基地局３００へ無線ネットワーク１０１を介して情報を送信するトランスミッタと、情報を画面に表示するディスプレイが接続されるポートとの少なくともいずれかである。ディスプレイは、例えば、ＬＣＤである。
【０１１０】
無線端末プログラムは、プロセッサ２０１に読み込まれ、プロセッサ２０１によって実行される。メモリ２０２には、無線端末プログラムだけでなく、ＯＳも記憶されている。プロセッサ２０１は、ＯＳを実行しながら、無線端末プログラムを実行する。
【０１１１】
無線端末プログラムおよびＯＳは、補助記憶装置に記憶されていてもよい。補助記憶装置は、例えば、フラッシュメモリまたはＨＤＤである。補助記憶装置に記憶されている無線端末プログラムおよびＯＳは、メモリ２０２にロードされ、プロセッサ２０１によって実行される。
【０１１２】
なお、無線端末プログラムの一部または全部がＯＳに組み込まれていてもよい。
【０１１３】
無線端末２００は、プロセッサ２０１を代替する複数のプロセッサを備えていてもよい。これら複数のプロセッサは、無線端末プログラムの実行を分担する。それぞれのプロセッサは、プロセッサ２０１と同じように、無線端末プログラムを実行する装置である。
【０１１４】
無線端末プログラムにより利用、処理または出力されるデータ、情報、信号値および変数値は、メモリ２０２、補助記憶装置、または、プロセッサ２０１内のレジスタまたはキャッシュメモリに記憶される。
【０１１５】
無線端末プログラムは、情報管理部２１１、移動量測定部２１２、移動量判定部２１３および接続制御部２１４が有する各部の「部」を「処理」に読み替えた各処理、または、情報管理部２１１、移動量測定部２１２、移動量判定部２１３および接続制御部２１４が有する各部の「部」を「手順」に読み替えた各手順をコンピュータに実行させるプログラムである。無線端末プログラムは、コンピュータ読取可能な媒体に記録されて提供されてもよいし、プログラムプロダクトとして提供されてもよい。
【０１１６】
実施の形態１では、周波数制御部４１２および接続制御部４２４の両方がサービスエリア構築装置４００に備えられているが、上記のように、本実施の形態では、周波数制御部４１２のみがサービスエリア構築装置４００に備えられ、接続制御部２１４が無線端末２００に備えられている。
【０１１７】
＊＊＊動作の説明＊＊＊
図１６を参照して、本実施の形態に係る無線端末２００の動作を説明する。この動作は、本実施の形態に係る接続方法に相当する。
【０１１８】
本実施の形態でも、図７に示したステップＳ１１からステップＳ１４の処理が行われる。すなわち、実施の形態１と同じように、サービスエリア構築装置４００は、非仮想セルエリアと仮想セルエリアとの２重のサービスエリアを構築した後、各無線端末２００の種別によって、各無線端末２００を非仮想セルエリアと仮想セルエリアとのいずれかに収容する。
【０１１９】
各無線端末２００がサービスエリアに収容される際には、各無線端末２００の情報管理部２１１が、各無線端末２００が接続したセルのＳＳＩＤを示す情報を接続情報２２３として生成し、生成した接続情報２２３をメモリ２０２に格納する。
【０１２０】
本実施の形態では、図７に示したステップＳ１５からステップＳ１９の処理に代えて、ステップＳ４１からステップＳ４７の処理が行われる。実施の形態１では、サービスエリア構築装置４００の移動量測定部４２２が、各無線端末２００の位置の変化を監視して、各無線端末２００の移動量を測定するが、本実施の形態では、各無線端末２００の移動量測定部２１２が、各無線端末２００の位置の変化を監視して、各無線端末２００の移動量を測定する。
【０１２１】
ステップＳ４１において、移動量測定部２１２は、無線端末２００の位置情報を取得する。ステップＳ４１の処理は、あらかじめ設定された測定時刻ごとに行われる。具体的には、移動量測定部２１２は、無線端末２００に内蔵されたＧＰＳ受信機またはセンサにより得られた測位結果を位置情報として取得する。「ＧＰＳ」は、Ｇｌｏｂａｌ  Ｐｏｓｉｔｉｏｎｉｎｇ  Ｓｙｓｔｅｍの略語である。
【０１２２】
ステップＳ４２において、あらかじめ設定された測定期間が終了していなければ、ステップＳ４１の処理が再び行われる。測定期間が終了してれば、ステップＳ４３の処理が行われる。
【０１２３】
ステップＳ４３において、移動量測定部２１２は、測定期間内にステップＳ４１で取得した位置情報から、測定期間内の無線端末２００の位置の変化量を移動量として算出する。あるいは、移動量測定部２１２は、測定期間内にステップＳ４１で取得した位置情報から、測定期間内の無線端末２００の位置の変化量を算出し、算出した変化量を、任意の式を用いて移動量に換算する。
【０１２４】
移動量測定部２１２は、ステップＳ４３で算出した移動量を示す情報を移動量情報２２１として生成し、移動量情報２２１をメモリ２０２に格納する。移動量情報２２１は、ステップＳ４４で移動量判定部２１３により参照される。
【０１２５】
ステップＳ４４において、移動量判定部２１３は、ステップＳ４３で算出された移動量と閾値とを比較し、無線端末２００の移動量の大小を判定する。移動量が閾値未満であれば、ステップＳ４５の処理が行われる。移動量が閾値以上であれば、ステップＳ４６の処理が行われる。
【０１２６】
移動量判定部２１３は、ステップＳ４４の判定結果を示す情報を移動判定情報２２２として生成し、移動判定情報２２２をメモリ２０２に格納する。移動判定情報２２２は、ステップＳ４５およびステップＳ４６のいずれの処理を行うか決定するために、接続制御部２１４により参照される。
【０１２７】
ステップＳ４５およびステップＳ４６において、接続制御部２１４は、無線端末２００の移動量に応じて、互いに重複する、非仮想セルエリア内のセルと仮想セルエリア内のセルとの間で、無線端末２００の接続先のセルを切り換える。具体的には、無線端末２００が仮想セルエリア内のセルに接続しているときに、無線端末２００の移動量が閾値よりも小さくなった場合、ステップＳ４５において、接続制御部２１４は、無線端末２００の接続先のセルを、無線端末２００が接続しているセルと重複する、非仮想セルエリア内のセルに切り換える。一方、無線端末２００の移動量が閾値よりも小さくなっていなければ、ステップＳ４６において、接続制御部２１４は、無線端末２００の接続先のセルを切り換えない。すなわち、接続制御部２１４は、無線端末２００の仮想セルエリア内のセルへの接続を維持する。また、無線端末２００が非仮想セルエリア内のセルに接続しているときに、無線端末２００の移動量が閾値よりも大きくなった場合、ステップＳ４６において、接続制御部２１４は、無線端末２００の接続先のセルを、無線端末２００が接続しているセルと重複する、仮想セルエリア内のセルに切り換える。本実施の形態では、無線端末２００の移動量が閾値と同じになった場合も、ステップＳ４６において、接続制御部２１４は、無線端末２００の接続先のセルを、無線端末２００が接続しているセルと重複する、仮想セルエリア内のセルに切り換える。一方、無線端末２００の移動量が閾値よりも小さければ、ステップＳ４５において、接続制御部２１４は、無線端末２００の接続先のセルを切り換えない。すなわち、接続制御部２１４は、無線端末２００の非仮想セルエリア内のセルへの接続を維持する。
【０１２８】
このように、本実施の形態では、サービスエリア構築装置４００が、各無線端末２００を非仮想セルエリアと仮想セルエリアとのいずれかに収容した後、各無線端末２００が、各無線端末２００の移動量を定期的に測定し、移動量の大小の判定結果によって、各無線端末２００の収容先を自発的に変更する。
【０１２９】
ステップＳ４７において、情報管理部２１１は、必要に応じて、メモリ２０２に格納されている接続情報２２３を更新する。具体的には、情報管理部２１１は、ステップＳ４５またはステップＳ４６で、無線端末２００の接続先のセルが切り換えられた場合、無線端末２００の接続情報２２３を、無線端末２００が接続したセルのＳＳＩＤを示す情報に更新する。情報管理部２１１は、更新後の接続情報２２３を、基地局３００を介してサービスエリア構築装置４００に送信する。サービスエリア構築装置４００の情報管理部４２１は、接続情報２２３を受信すると、メモリ４０２に格納されている、該当する無線端末２００の接続情報４４２を更新する。具体的には、情報管理部４２１は、いずれかの無線端末２００の接続先のセルが切り換えられた場合、その無線端末２００の接続情報４４２を、その無線端末２００から受信した更新後の接続情報２２３で更新する。
【０１３０】
ステップＳ４７の処理の後は、ステップＳ４１の処理が再び行われる。
【０１３１】
＊＊＊実施の形態の効果の説明＊＊＊
本実施の形態では、サービスエリア構築装置４００に代わって、無線端末２００が、その無線端末２００の移動量に応じて、仮想セルエリアと非仮想セルエリアの切り換えを行う。よって、ネットワーク側の処理負荷を抑えながら、移動量が小さい無線端末２００に対しては、スループットを向上させることができる。移動量が大きい無線端末２００に対しては、ハンドオーバの頻度を少なくして通信断を発生しにくくし、かつ、通信を安定させることができる。
【０１３２】
＊＊＊他の構成＊＊＊
本実施の形態では、実施の形態１と同じように、基地局監視制御部４１０および端末監視制御部４２０の機能がソフトウェアにより実現されるが、実施の形態１の変形例と同じように、基地局監視制御部４１０および端末監視制御部４２０の機能がソフトウェアとハードウェアとの組み合わせにより実現されてもよい。
【０１３３】
本実施の形態では、情報管理部２１１、移動量測定部２１２、移動量判定部２１３および接続制御部２１４の機能がソフトウェアにより実現されるが、変形例として、情報管理部２１１、移動量測定部２１２、移動量判定部２１３および接続制御部２１４の機能がソフトウェアとハードウェアとの組み合わせにより実現されてもよい。すなわち、情報管理部２１１、移動量測定部２１２、移動量判定部２１３および接続制御部２１４の機能の一部が専用のハードウェアにより実現され、残りがソフトウェアにより実現されてもよい。
【０１３４】
専用のハードウェアは、例えば、単一回路、複合回路、プログラム化したプロセッサ、並列プログラム化したプロセッサ、ロジックＩＣ、ＧＡ、ＦＰＧＡまたはＡＳＩＣである。
【０１３５】
プロセッサ２０１および専用のハードウェアは、いずれも処理回路である。すなわち、情報管理部２１１、移動量測定部２１２、移動量判定部２１３および接続制御部２１４の機能がソフトウェアにより実現されるか、ソフトウェアとハードウェアとの組み合わせにより実現されるかに関わらず、情報管理部２１１、移動量測定部２１２、移動量判定部２１３および接続制御部２１４の機能は、処理回路により実現される。
【符号の説明】
【０１３６】
１００  無線通信システム、１０１  無線ネットワーク、２００  無線端末、２０１  プロセッサ、２０２  メモリ、２０３  入力インタフェース、２０４  出力インタフェース、２１１  情報管理部、２１２  移動量測定部、２１３  移動量判定部、２１４  接続制御部、２２１  移動量情報、２２２  移動判定情報、２２３  接続情報、３００  基地局、３０１  無線部、３０２  無線部、４００  サービスエリア構築装置、４０１  プロセッサ、４０２  メモリ、４０３  入力インタフェース、４０４  出力インタフェース、４１０  基地局監視制御部、４１１  配置管理部、４１２  周波数制御部、４２０  端末監視制御部、４２１  情報管理部、４２２  移動量測定部、４２３  移動量判定部、４２４  接続制御部、４２５  移動履歴作成部、４３１  配置情報、４３２  周波数情報、４４１  種別情報、４４２  接続情報、４４３  移動量情報、４４４  移動判定情報、５０１  動線、５０２  動線。
【要約】
無線ネットワーク（１０１）は、あるセルに接続し基地局（３００）を介して無線通信を行っている無線端末（２００）が同じサービスエリア内の隣接するセルに移動したときに、無線端末（２００）の接続先のセルを無線端末（２００）の移動先のセルに切り換えるネットワークである。サービスエリア構築装置（４００）は、無線ネットワーク（１０１）に対して、互いに重複する非仮想セルエリアと仮想セルエリアとの２つのサービスエリアを構築する。非仮想セルエリアは、互いに隣接するセルで無線通信に使用される周波数が相違するサービスエリアである。仮想セルエリアは、互いに隣接するセルで無線通信に使用される周波数が共通するサービスエリアである。サービスエリア構築装置（４００）は、無線端末（２００）の種別または移動量に応じて無線端末（２００）を収容するサービスエリアを選択するか、あるいは、切り換える。【図１】
0006293390.tif 000002
【図２】
0006293390.tif 000003
【図３】
0006293390.tif 000004
【図４】
0006293390.tif 000005
【図５】
0006293390.tif 000006
【図６】
0006293390.tif 000007
【図７】
0006293390.tif 000008
【図８】
0006293390.tif 000009
【図９】
0006293390.tif 000010
【図１０】
0006293390.tif 000011
【図１１】
0006293390.tif 000012
【図１２】
0006293390.tif 000013
【図１３】
0006293390.tif 000014
【図１４】
0006293390.tif 000015
【図１５】
0006293390.tif 000016
【図１６】
0006293390.tif 000017
【図１７】
0006293390.tif 000018
【図１８】
0006293390.tif 000019
【図１９】
0006293390.tif 000020